(57)【要約】【課題】視覚が及ばない壁面と棚類との間において、棚類の取付けの結合を掛け止めるだけの手順で確実になし得るだけでなく、その手順により壁面と棚類との密着作用が生じ、同時に外れないようその状態が保持されるロック機構が働くようにすることを課題とした。【解決手段】それぞれ鋼板で成形された壁面に固着する掛止金具と、棚類に固着する係合金具とからなり、掛止金具は、上端部に一部の切り分けにより前傾斜片が設けられるとともに、下端の二段屈折若しくは単屈折を介して前屈みに形成され、その前傾斜片に切抜きを設けるとともにその中に納まる弾性舌片を上下いずれかの方向へ向けて突設し、その弾性舌片の先端部には常時前傾斜片の裏面よりも凸となるよう裏面に突部を設けてあり、係合金具は、掛止金具の前傾斜片に沿って下降することにより壁面に向かって傾斜の倍力で引き寄せられる係合片を具備し、この掛け止めを保持するロック機構として、弾性舌片の弾性変形を伴うことによりその突部が落ち込む係合穴が係合片に設けられている。【選択図】    図１
2014005624.tif 000002
【特許請求の範囲】
【請求項１】
それぞれ鋼板で成形された壁面に固着する掛止金具と、棚類に固着する係合金具とからなり、掛止金具は、上端部に一部の切り分けにより前傾斜片が設けられるとともに、下端の二段屈折若しくは単屈折を介して前屈みに形成され、その前傾斜片に切抜きを設けるとともにその中に納まる弾性舌片を上下いずれかの方向へ向けて突設し、その弾性舌片の先端部には常時前傾斜片の裏面よりも凸となるよう裏面に突部を設けてあり、係合金具は、掛止金具の前傾斜片に沿って下降することにより壁面に向かって傾斜の倍力で引き寄せられる係合片を具備し、この掛け止めを保持するロック機構として、弾性舌片の弾性変形を伴うことによりその突部が落ち込む係合穴が係合片に設けられていることを特徴とする棚取付用壁付金具。
【請求項２】
掛止金具の上端部に前記切り分け用として左右一対の上端開放溝を設けることにより、幅中央部を前傾斜片に、左右両端部をサイド起立片にそれぞれ形成し、前傾斜片の中央部にＵ字形の反転スリットを設けることにより、その中に弾性舌片が一体に形成されていることを特徴とする請求項１記載の棚取付用壁付金具。
【請求項３】
掛止金具は、帯状にやや身長の金具本体と、その前面に複合して一体化される板ばねの副部材とからなり、金具本体の上端部を前傾斜片として形成するとともに、幅中央部に起立片の切出溝を有しており、一方、副部材の下半部に、複数の山形の屈折部を形成し、屈折部の上部斜面にピン又はビス等の壁面止着具を斜めに通す上穴を、金具本体には下穴をそれぞれ設け、さらに副部材の上端部には、切出溝に納まる弾性舌片を幅狭く形成してあることを特徴とする請求項１記載の棚取付用壁付金具。
【発明の詳細な説明】
【技術分野】
【０００１】
この発明は、例えば、食器棚、本棚、陳列棚などの棚類を壁掛けにより密着安定した状態に取り付けるために使用する棚取付用壁付金具に関する。
【背景技術】
【０００２】
棚類を床から浮かして壁面に取り付けるには、従来から壁面と棚類の双方に当たるＬ字型の取付金具が使用されることが多い。これによると、取付金具を棚類の上下両端に一対ずつ配分してＬ字型の一片でビス止めしておき、その棚類を壁面に合わせながら所定の個所に他片をビス止めしていた。
【０００３】
しかしながら、上記のような従来の取付金具によれば、それが棚類の外面に露出して見苦しく体裁上好ましくない。しかも、壁面と棚類との間に棚類の荷重により、若しくはビス止めでは取付の不手際により隙間が生じやすく、殊に、棚類の下端が支点となって前屈み方向に開きやすく、隙間のためにがたつくことで不安定となるという問題があった。
【発明の概要】
【発明が解決しようとする課題】
【０００４】
この出願人において、上記のような問題を解決するために、壁面と棚類との間の隠れた箇所に、壁に予め取り付けた掛止金具に、棚類に予め取り付けた係合金具を掛け止めることを前提として、壁面に対して棚類をがたつかないよう安定して密着させ得るように鋭意工夫を重ねてきた。なお、元々、掛け止めるということは、ゆとりが必要なため、どうしても多少の隙間が発生するが、これを無くすることに特に工夫を試みてきた。
【０００５】
すなわち、この発明は、視覚が及ばない壁面と棚類との間において、棚類の取付けの結合を掛け止めるだけの手順で確実になし得るだけでなく、その手順により壁面と棚類との密着作用が生じ、同時に外れないようその状態が保持されるロック機構が働くようにすることを課題とした。
【課題を解決するための手段】
【０００６】
上記の課題を解決するために、この発明は、それぞれ鋼板で成形された壁面に固着する掛止金具と、棚類に固着する係合金具とからなり、掛止金具は、上端部に一部の切り分けにより前傾斜片が設けられるとともに、下端の二段屈折若しくは単屈折を介して前屈みに形成され、その前傾斜片に切抜きを設けるとともにその中に納まる弾性舌片を上下いずれかの方向へ向けて突設し、その弾性舌片の先端部には常時前傾斜片の裏面よりも凸となるよう裏面に突部を設けてあり、係合金具は、掛止金具の前傾斜片に沿って下降することにより壁面に向かって傾斜の倍力で引き寄せられる係合片を具備し、この掛け止めを保持するロック機構として、弾性舌片の弾性変形を伴うことによりその突部が落ち込む係合穴が係合片に設けられていることを特徴とする棚取付用壁付金具を提供する。
【０００７】
棚取付用壁付金具を上記のように構成したから、これを取り付けるには、棚類の上端部に相当して左右一対において使用し、棚類には取り付ける箇所に凹所を設け、そこに係合金具をビスなどで固着し、これに対応して壁面に掛止金具をビス又はピン等で固着する。そして、掛止金具に係合金具を引っかけると、凹所で係合金具に引っ込みが有る関係で、前傾斜片の斜面に係合金具が下降しながら壁面方向へ前進することにより棚類が壁面に圧着する。この圧着による密着が棚類の上端部に生じるから、ここを支点にして棚類の荷重が下法へ密着作用として及ぶことになる。
【発明の効果】
【０００８】
以上説明したように、この発明の棚取付用壁付金具によれば、壁面に対して棚類を単なる引っ掛け手段により取り付けるので、視覚が及ばない壁面と棚類との間において、棚類の取付けの結合手順を（棚類を荷重に従い下すだけで）確実になし得るだけでなく、その際に、結合手順により壁面と棚類との密着作用が生じ、同時にその状態が保持されるロック機構が働くために、壁掛け様に棚類を体裁よく安定して密着保持でき、取付けの作業性にも優れるという効果がある。
【図面の簡単な説明】
【０００９】
【図１】この発明の第１実施例を棚類の据え付け要領で示す棚取付用壁付金具の分解斜視図である。
【図２】同実施例における掛止金具の正面図（イ）、および側面図（ロ）である。
【図３】同実施例における係合金具の正面図である。
【図４】同実施例において棚類の取付け状態を示す断面図である。
【図５】第２実施例を示す図１に対応する斜視図である。
【図６】同実施例における掛止金具の正面図（イ）、および側面図（ロ）である。
【図７】同実施例における係合金具の断面図である。
【図８】同実施例において棚類の取付け状態を示す断面図である。
【発明を実施するための形態】
【００１０】
上部隙間を全体的になくするためには、前記したように棚類Ｒに対する金具の取付位置は上部とする。また、金具には上部に結合関係、つまり前傾斜片７と係合片２２を備えるのが良い。いずれもその部分に取付け強度が強く働くし、またその部分が支点として荷重が働くと、それ以下の下方部分が壁面Ｗに圧着するからである。なお、当然に金具の剛性も必要である。
【００１１】
下記実施例では、ロック機構について、突起１３がポンチによる打出しによりなだらかな傾斜に形成したので、外れの抑制効果があるが、（配置変え等のために）外そうとして意図すれば外すことが可能である。ただし、決して外れないようにするために突起１３を逆止形状とすることもある。
【実施例１】
【００１２】
図１ないし図４は、一実施例を示したもので、その棚取付用壁付金具Ｐは、壁面Ｗに予め取り付けておく掛止金具１と、棚類Ｒの裏側に取り付けておく係合金具２とからなる。なお、両方とも鋼鉄製の板材にプレス加工を施すことにより成形される。
【００１３】
掛止金具１は、上下にやや長い矩形の板状であるが、上端部に左右一対の上端開放溝５，５を切り分けのために設けることにより、中央部を前傾斜片７として形成し、その両側の残りをそのままに垂直なサイド起立片９，９として形成される。また、前傾斜片７は、開放溝５，５の下端の下段屈折8ａとそのやや上の上段屈折８bの二段で屈折し、係合金具２が上屈折線８ｂで止まるようになっている。
【００１４】
また、前傾斜片７は、比較的幅広く形成され、更にその幅中央には、Ｕ字形の反転スリット１０を設けることにより、残ったその中が下向きの弾性舌片１１として下向きに形成される。また、この弾性舌片１１の先端部には、ポンチによる打出しにより後ろ面になだらかな傾斜に隆起した突部１３が設けられる。
【００１５】
この掛止金具１は、壁面Ｗに対して面接合により密着固定されるもので、位置調整可能なビス止めのために、幅中央部に中ビス１５を通す縦溝１７を、左右両端には固定ビス１９，１９を通す丸穴２１，２１が設けられる。
【００１６】
係合金具２は、上下幅で左右に長い帯板状であって、その中央部がそのまま掛止金具１に対する係合片２２となっており、その下縁に沿って係合穴２３が設けられる。この係合穴２３は、突部１３と係合することでロック機構を構成するもので、位置の誤差を吸収するために横の長穴として形成される。また、両端部には、２個ずつビス２５、２５の止穴２７，２７が形成される。
【００１７】
棚類Ｒは、陳列棚のベースボード（アーム等を取り付ける基盤）を想定して板状であって、これには、係合金具２，２を引っ込みに取り付けるためにそれぞれ凹所２９，２９が設けられる。
【００１８】
凹所２９は、二段構造であって、掛止金具１と係合金具２とが所定位置で共に納まり得る範囲に浅く広い凹所２９ａを設けるとともに、中央部に掛止金具１が段違いに納まる深い凹所２９ｂを設け、深い凹所２９ｂの上端には、掛止金具１の前傾斜片７の差入口３３が設けられる。そして、前記係合金具２は、この差入口３３の両側の高台（つまり浅い凹所２９ａの底面）にビス止めされる。
【００１９】
棚類Ｒを据え付けるには、これを持ち上げて壁面Ｗに面合わせに（図１の矢印Ｓ参照）接近させながら、係合金具２、２を掛止金具１、１の上に置いて（同図二点鎖線参照）から下すことにより、その前傾斜片７、７の内側に沿って下すと、その傾斜面に案内されながら、下降とともに壁面Ｗ側へ移動する結果、傾斜の倍力により棚類Ｒが壁面Ｗに引き付けられる。その取付け状態を図４に示す。
【実施例２】
【００２０】
図５ないし図８は、第２の実施例を示したもので、その棚取付用壁付金具Ｐは、同じく壁面Ｗに取り付ける掛止金具１と、棚類Ｒに取り付ける係合金具２とからなる。棚類Ｒは、この場合、側板３７，３７の間に棚板３８が組み込まれる形態であって、側板３７，３７の端面にその幅面に沿った長い溝形の凹所２９，２９が設けられる。
【００２１】
掛止金具１は、壁面Ｗに取り付ける帯状鋼板からなる金具本体１ａに対して板ばねからなる副部材１ｂがスポット溶接３５により一体化され、凹所２９に納まり得る長身の複合体として構成される。
【００２２】
金具本体１は、帯板に加工を施して形成したもので、上端部を二段屈折８ａ、８ｂで屈折して前傾斜片７を形成し、その際に前傾斜片７の中央部を上下長の抜出溝３９に打ち抜いて打ち残した部分が帯板の裏面と面一のままセンター起立片９として形成され、起立片９と前傾斜片７との間の下端が係合金具２を受ける強度の二叉となっている。また、長さ中間よりも上部には、ピン４０（又はビス等の壁面止着具）により止める下穴４３，４３が上下二段にそれぞれ一対ずつ設けられる。
【００２３】
副部材１ｂは、下半部に山形の屈折部４５，４５が二段に設けられ、上端部に前記抜出溝３９に納まる弾性舌片４１が長首状に幅狭く形成され、その上端部にポンチによる打出しにより突部１３が設けられ、前傾斜片７に対して突部１３常時裏面に突出しているように弾性舌片４１を傾斜に形成される。
【００２４】
また、副部材１ｂは、山形の屈折部４５，４５の上面に、ピン４０を通す上穴４２，４２が設けられているので、掛止金具１を壁面Ｗに取り付けるには、ピン４０を上穴４２から下穴４３に通して壁面Ｗに差し込むことによりピン止めする。
【００２５】
係合金具２は、上半部を反転屈折してなるもので、反転先が前傾斜片７とほゞ同じにやや傾斜する係合片２２として形成され、それよりも下において凹所２９の溝底部にビス止めするためのビス５１の通孔５３が設けられる。
【００２６】
棚類Ｒを据え付ける手順は前記と同じであって、係合片２２を掛止金具１の前傾斜片７に掛けながら下すと、その傾斜に沿って壁面Ｗの方向に引き寄せられ、同時に弾性舌片４１の弾性を伴って突部１３が係合穴２３に脱出しないように掛かるようロック機構が働くものである。
【符号の説明】
【００２７】
Ｐ  棚取付用壁付金具
Ｒ  棚類
Ｗ  壁面
１  掛止金具
１ａ  金具本体
１ｂ  副部材
２  係合金具
５  開放溝
７  前傾斜片
８ａ  二段屈折の下段屈折
８ｂ  二段屈折の上段屈折
９  起立片
１０  反転スリット
１１  弾性舌片
１３  突部
１５  中ビス
１７  縦溝
１９  固定ビス
２１  丸穴
２２  係合片
２３  係合穴
２５  ビス
２７  止穴
２９  凹所
３３  差入口
３５  スポット溶接
３７  側板
３８  棚板
３９  抜出溝
４０  ピン
４１  弾性舌片
４２  上穴
４３  下穴
４５  屈折部
５１  ビス
５３  通穴
【図１】
2014005624.tif 000003
【図２】
2014005624.tif 000004
【図３】
2014005624.tif 000005
【図４】
2014005624.tif 000006
【図５】
2014005624.tif 000007
【図６】
2014005624.tif 000008
【図７】
2014005624.tif 000009
【図８】
2014005624.tif 000010